(57)【要約】 【課題】  回転錠の取り付けを簡単にかつ正確に行う。【解決手段】  回転錠４０を取り付ける場合は、Ｌ型ブラケット５５を取付空間３８に入れて着脱位置に置く。この状態で、前面板３５Ａの挿通孔５０からＬ型ブラケット５５の縦板５６の係止孔６０にわたってロック片４５ともども回転錠４０の本体部４１が挿通され、操作部４２が挿通孔５０の表側の口縁に当接したところで、本体部４１が挿通孔５０に回り止めされて挿通されたのち係止孔６０の後方に貫通する。続いてＬ型ブラケット５５を係止位置に移動させると、係止孔６０における横孔部６２の孔縁６２Ａが、操作部４２の裏側において本体部４１の上下の外周面に切られた係止溝４６に進入し、回転錠４０が抜け止めされる。最後に横板５７が底面板３５Ｂにねじで止められる。回転錠４０を外す場合は、逆の動作によって行われる。【選択図】  図４
2005308299.tif 000002
【特許請求の範囲】
【請求項１】
貯蔵庫本体の出入口には扉が開閉可能に設けられ、前記出入口の口縁部に設けられた取付空間には、差し込んだ鍵の正逆方向への回動操作に伴い、ロック部が前記出入口内に突出して前記扉に設けられたロック受け部に係止する位置と、前記取付空間側に退避して前記係止が解除される位置との間で回動可能とされた回転錠が配設されたものにおいて、
前記回転錠は、本体部の一端側に、前記鍵が差し込み可能で拡径された操作部が、他端側に前記ロック部がそれぞれ設けられ、かつ前記本体部における前記操作部の裏側の外周面に係止溝が切り込み形成され、
前記取付空間の前面板には、前記回転錠の本体部を挿通する挿通孔が設けられ、かつ前記取付空間における前記扉の外周面と対向した周面板には、前記回転錠の着脱用の開口が設けられているとともに、
前記前面板と前記周面板との裏面側にそれぞれ配される縦板と横板とを有し、かつ前記前面板の裏面に沿って往復移動可能なＬ型ブラケットが具備され、
このＬ型ブラケットの前記縦板には係止孔が形成され、この係止孔は、前記Ｌ型ブラケットが一側の着脱位置にある場合には、前記ロック部ともども前記回転錠の本体部の挿通を許容し、他側の係止位置に移動した場合には、その孔縁が前記回転錠の係止溝に係止し、かつ前記横板は、前記Ｌ型ブラケットが前記係止位置に移動した場合に前記周面板に固定可能となっていることを特徴とする貯蔵庫の施錠装置。
【請求項２】
前記取付空間の周面板には前記開口を塞ぐカバーが取付可能となっており、前記Ｌ型ブラケットの前記横板が前記カバーと共締めされて前記周面板に固定されていることを特徴とする請求項１記載の貯蔵庫の施錠装置。
【請求項３】
前記Ｌ型ブラケットは、前記縦板と横板とが正規よりも予め閉じた状態に形成され、前記縦板の係止孔における孔縁が前記回転錠の前記係止溝に嵌り、かつ前記横板が前記取付空間の周面板に固定された場合に、前記縦板と横板とが弾性的に開く設定となっていることを特徴とする請求項１または請求項２記載の貯蔵庫の施錠装置。
【請求項４】
貯蔵庫本体の出入口には扉が開閉可能に設けられ、前記出入口の口縁部に設けられた取付空間には、差し込んだ鍵の正逆方向への回動操作に伴い、ロック部が前記出入口内に突出して前記扉に設けられたロック受け部に係止する位置と、前記取付空間側に退避して前記係止が解除される位置との間で回動可能とされた回転錠が配設されたものにおいて、
前記回転錠は、本体部の一端側に前記鍵が差し込み可能とされた操作部が、他端側に前記ロック部がそれぞれ設けられ、
前記取付空間の前面板には、前記回転錠の前記操作部を臨ませる操作孔が設けられ、かつ前記取付空間における前記扉の外周面と対向した周面板には、前記回転錠の着脱用の開口が設けられているとともに、
前記周面板の前記開口を塞ぐカバー部と、このカバー部から立ち上がって形成され前記回転錠の前記本体部を回り止めして固定した取付部とからなるＬ型固定具が具備され、
このＬ型固定具の前記カバー部を前記周面板に固定することに伴い、前記取付部に固定された前記回転錠の前記操作部が前記前面板の操作孔に臨む構成となっていることを特徴とする貯蔵庫の施錠装置。
【請求項５】
前記回転錠の前記操作部は、前記本体部よりも拡径され、かつその外周面が先細りのテーパ面とされているとともに、前記Ｌ型固定具の前記取付部には、前記回転錠の前記本体部を回り止めして挿通する挿通部が設けられ、かつ前記取付部と前記カバー部とが正規よりも予め開いた状態に形成されており、前記カバー部が前記取付空間の周面板に固定された場合に、前記取付部が弾性的に閉じる方向に変形しつつ、前記回転錠における前記操作部のテーパ面が前記操作孔内に嵌合される設定となっていることを特徴とする請求項４の記載の貯蔵庫の施錠装置。
【発明の詳細な説明】
【技術分野】
【０００１】
本発明は、冷蔵庫等の貯蔵庫の施錠装置に関する。
【背景技術】
【０００２】
従来この種の施錠装置の一例として、図１３に示すようなものが知られている。このものは、出入口の上側の口縁部に設けられた取付空間１内に回転錠２が設けられ、前端側の拡径された操作部２Ｂに差し込んだ鍵を一方向へ回動操作することにより、後端に設けられたロック部３が、扉４の上面に突設されたロック受け部５の前面に係止して閉扉状態にロックし、他方向への回動操作により、ロック部３を取付空間１側に退避させて係止を解除するようになっている。  
回転錠２の取付構造はより具体的には、回転錠２の異形断面をなす本体部２Ａが、取付空間１の前面板に形成された同形状の挿通孔６に回り止めされて挿通され、操作部２Ｂが挿通孔６の表側の口縁に当てられる一方、同図（Ｂ）に示すように、本体部２Ａにおける操作部２Ｂの裏側の外周面に切り込み形成された係止溝７に、二股の湾曲した脚片８Ａを有するクリップ８が差し込まれ、操作部２Ｂが挿通孔６の表側の口縁に弾性的に押し付けられて固定されるようになっている。  
なおこの種の施錠装置は、特許文献１に記載されている。
【特許文献１】特開平７−１５１４５２号公報
【発明の開示】
【発明が解決しようとする課題】
【０００３】
ところでメンテナンスや回転錠２の交換を行う際には、回転錠２を外す必要があるが、その場合は、取付空間１の底面板に張られたカバー９を外して着脱作業用の開口１Ａを開け、開口１Ａから取付空間１内に手を入れてクリップ８を抜き取ったのち、回転錠２を挿通孔６の前方に引き抜く。再度、回転錠２を取り付ける場合は、上記した要領で行う。端的には回転錠２の着脱に際しては、狭い空間内において回転錠２の係止溝７にクリップ８を抜き差しし、それも手探りで行わねばならないため、作業が面倒であるという問題があった。  
本発明は上記のような事情に基づいて完成されたものである。
【課題を解決するための手段】
【０００４】
請求項１の発明に係る貯蔵庫の施錠装置は、貯蔵庫本体の出入口には扉が開閉可能に設けられ、前記出入口の口縁部に設けられた取付空間には、差し込んだ鍵の正逆方向への回動操作に伴い、ロック部が前記出入口内に突出して前記扉に設けられたロック受け部に係止する位置と、前記取付空間側に退避して前記係止が解除される位置との間で回動可能とされた回転錠が配設されたものにおいて、前記回転錠は、本体部の一端側に、前記鍵が差し込み可能で拡径された操作部が、他端側に前記ロック部がそれぞれ設けられ、かつ前記本体部における前記操作部の裏側の外周面に係止溝が切り込み形成され、前記取付空間の前面板には、前記回転錠の本体部を挿通する挿通孔が設けられ、かつ前記取付空間における前記扉の外周面と対向した周面板には、前記回転錠の着脱用の開口が設けられているとともに、前記前面板と前記周面板との裏面側にそれぞれ配される縦板と横板とを有し、かつ前記前面板の裏面に沿って往復移動可能なＬ型ブラケットが具備され、このＬ型ブラケットの前記縦板には係止孔が形成され、この係止孔は、前記Ｌ型ブラケットが一側の着脱位置にある場合には、前記ロック部ともども前記回転錠の本体部の挿通を許容し、他側の係止位置に移動した場合には、その孔縁が前記回転錠の係止溝に係止し、かつ前記横板は、前記Ｌ型ブラケットが前記係止位置に移動した場合に前記周面板に固定可能となっている構成としたところに特徴を有する。
【０００５】
請求項２の発明は、請求項１に記載のものにおいて、前記取付空間の周面板には前記開口を塞ぐカバーが取付可能となっており、前記Ｌ型ブラケットの前記横板が前記カバーと共締めされて前記周面板に固定されているところに特徴を有する。  
請求項３の発明は、請求項１または請求項２に記載のものにおいて、前記Ｌ型ブラケットは、前記縦板と横板とが正規よりも予め閉じた状態に形成され、前記縦板の係止孔における孔縁が前記回転錠の前記係止溝に嵌り、かつ前記横板が前記取付空間の周面板に固定された場合に、前記縦板と横板とが弾性的に開く設定となっているところに特徴を有する。
【０００６】
請求項４の発明に係る貯蔵庫の施錠装置は、貯蔵庫本体の出入口には扉が開閉可能に設けられ、前記出入口の口縁部に設けられた取付空間には、差し込んだ鍵の正逆方向への回動操作に伴い、ロック部が前記出入口内に突出して前記扉に設けられたロック受け部に係止する位置と、前記取付空間側に退避して前記係止が解除される位置との間で回動可能とされた回転錠が配設されたものにおいて、前記回転錠は、本体部の一端側に前記鍵が差し込み可能とされた操作部が、他端側に前記ロック部がそれぞれ設けられ、前記取付空間の前面板には、前記回転錠の前記操作部を臨ませる操作孔が設けられ、かつ前記取付空間における前記扉の外周面と対向した周面板には、前記回転錠の着脱用の開口が設けられているとともに、前記周面板の前記開口を塞ぐカバー部と、このカバー部から立ち上がって形成され前記回転錠の前記本体部を回り止めして固定した取付部とからなるＬ型固定具が具備され、このＬ型固定具の前記カバー部を前記周面板に固定することに伴い、前記取付部に固定された前記回転錠の前記操作部が前記前面板の操作孔に臨む構成となっているところに特徴を有する。
【０００７】
請求項５の発明は、請求項４に記載のものにおいて、前記回転錠の前記操作部は、前記本体部よりも拡径され、かつその外周面が先細りのテーパ面とされているとともに、前記Ｌ型固定具の前記取付部には、前記回転錠の前記本体部を回り止めして挿通する挿通部が設けられ、かつ前記取付部と前記カバー部とが正規よりも予め開いた状態に形成されており、前記カバー部が前記取付空間の周面板に固定された場合に、前記取付部が弾性的に閉じる方向に変形しつつ、前記回転錠における前記操作部のテーパ面が前記操作孔内に嵌合される設定となっているところに特徴を有する。
【発明の効果】
【０００８】
＜請求項１の発明＞
回転錠を取り付けるに当たっては、Ｌ型ブラケットを開口から取付空間に入れて着脱位置に置く。この状態で、前面板の挿通孔からＬ型ブラケットの縦板の係止孔にわたってロック部ともども回転錠の本体部が挿通され、回転錠の操作部が挿通孔の表面側の口縁に当接したところで、本体部が挿通孔に挿通されたのち係止孔の後方に貫通する。続いて、Ｌ型ブラケットを係止位置に移動させると、係止孔の孔縁が本体部の係止溝に進入することで回転錠が抜け止めされ、最後に横板が取付空間の周面板に固定される。  
メンテナンス等で回転錠を外す場合は、横板の固定を外したのちＬ型ブラケットを着脱位置に移動させると、係止孔の孔縁が係止溝から退避して係止が解除されるから、ロック部ともども回転錠の本体部が前面板の挿通孔から前方に抜き出される。再度組み付ける場合は、上記と同じ要領で行われる。
【０００９】
例えば回転錠を一旦外したのち再度取り付ける場合に、特に回転錠を抜け止めするには取付空間内での手探りの作業が必要となるが、初めにＬ型ブラケットを着脱位置に置いて回転錠を挿通したのち、Ｌ型ブラケットを収容空間の前面板の裏面に沿って係止位置まで移動させるといった、比較的簡単な操作により回転錠の抜け止めを行うことができる。もって、回転錠の取り付けを簡単にかつ正確に行うことができる。
【００１０】
＜請求項２の発明＞
横板ひいてはＬ型ブラケットを係止位置においてより強固に固定することができる。  
＜請求項３の発明＞
縦板の復元弾力により、回転錠の操作部が前面板の挿通孔における表面側の口縁に強固に押し付けられる。回転錠をがたつきなくより強固に取り付けることができる。
【００１１】
＜請求項４の発明＞
回転錠を取付空間に取り付けるに当たっては、Ｌ型固定具の取付部に回転錠を回り止めして固定し、回転錠を取付部ともども取付空間内に入れたのち、カバー部により開口を塞いでカバー部を周面板に固定する。これに伴い、取付部に固定された回転錠の操作部が前面板の操作孔に臨み、鍵の抜き差し並びに回動操作が可能とされる。  
メンテナンス等で回転錠を外す場合は、カバー部の固定を外して回転錠ともどもＬ型固定具全体を外し、その後に改めて取付部から回転錠を外す。再度取り付ける場合は、上記と同じ要領で行われる。
【００１２】
回転錠をＬ型固定具の取付部に固定しておくことにより、カバー部を周面板に取り付けまたは取り外すことに伴い、回転錠の所定位置への着脱が自ずから行われる。回転錠をＬ型固定具の取付部に取り付けまたは取り外す作業は、取付空間の外の広いスペースで行うことができる。トータルして、回転錠の取付空間内での所定位置への着脱を簡単にかつ正確に行うことができる。回転錠を回り止めして取り付ける取付部は、既存のカバー部と一体的に形成したから、格別に部品点数の増加を招くおそれがない。
【００１３】
＜請求項５の発明＞
取付部の復元弾力により、回転錠の操作部のテーパ面が操作孔内に食い込むように嵌合して固定される。回転錠をＬ型固定具の取付部自身に固定するための取付具が不要にできる。
【発明を実施するための最良の形態】
【００１４】
以下、本発明の実施形態を添付図面に基づいて説明する。  
＜実施形態１＞
本発明の実施形態１を図１ないし図７によって説明する。この実施形態では、テーブル型冷蔵庫に適用した場合を例示している。冷蔵庫は、図１及び図２に示すように、前面に開口したやや横長の断熱箱体からなる冷蔵庫本体１０を有し、底面に設けた脚１１で支持されている。本体１０の内部は冷蔵室１２となっており、前面の出入口１３（図３参照）には、断熱扉１５が右側縁を中心として揺動開閉可能に装着されている。断熱扉１５の表面の左上の位置には、把手１６が設けられている。
【００１５】
冷蔵庫本体１０の左側方には機械室２０が設けられ、冷凍ユニットが引き出し可能に収納されている。機械室２０内の上部位置には、冷蔵室１２と連通した冷却器室２１が張り出し形成され、冷却器２２、庫内ファン２３が格納されている。冷却器室２１の下方のスペースには、圧縮機２５、凝縮器２６等からなる冷凍装置２４が収容され、上記の冷却器２２と冷媒配管により循環接続されて、周知の冷凍サイクルが構成されている。  
冷蔵庫本体１０から機械室２０の上面にわたり、一枚板からなる天板３５が張られており、調理台等のテーブルとして利用可能となっている。なお、天板３５の手前側の縁部は、詳しくは後記するように、断熱扉１５並びに機械室２０の扉２８の上面を覆うように、庇状に突出している。  
そして、冷凍装置２４並びに庫内ファン２３が駆動されると、冷却器２２を通過することで生成された冷気が冷蔵室１２内に循環供給され、冷蔵室１２内が冷却されるようになっている。
【００１６】
さて、上記した断熱扉１５が不必要に開放されないための施錠機構が備えられており、以下それについて説明する。  
出入口１３の上縁部の構造を改めて説明すると、図３及び図６に示すように、冷蔵庫本体１０の上面には補強板３０が張られており、補強板３０の手前側の縁部が下側と奥側とにほぼ直角曲げされ、最後に上向きに曲げられた短寸の取付部３１が、冷蔵庫本体１０の前面に当てられて固定されることで、図６に示すように、横向きの角筒状をなすように補強部３２が形成されている。補強部３２の前面板３２Ａは、閉鎖された断熱扉１５の表面よりも奥側に位置している。
【００１７】
補強板３０の上面には、上記した天板３５がさらに張られている。天板３５の手前側の縁部は、閉じた断熱扉１５の表面よりもさらに手前に突出したのち、大きなＲを付して下向きに前面板３５Ａが曲げ形成され、さらに奥側に向けて底面板３５Ｂが曲げ形成されており、底面板３５Ｂの先端が、上記した補強部３２の前面下の角に掛止されて捲れ止めされている。これにより出入口１３の上縁には、閉鎖した断熱扉１５の上面を覆うようにして庇部３７が形成されている。  
この庇部３７における幅方向の中央部から少し左側に寄った位置に、回転錠４０の取付位置が設定され、したがってこの取付位置における天板３５の前面板３５Ａの裏側に、回転錠４０の取付空間３８が形成されている。
【００１８】
回転錠４０は、図４及び図６に示すように、縦長のほぼ長円形断面をなす本体部４１の手前側に、拡径された操作部４２が形成され、この操作部４２内に、鍵孔４７を有する回動軸４３の一端側が収容され、本体部４１の奥面から突出した回動軸４３の他端に、横向き（正面から見た右向き）の姿勢を取ったロック片４５の基端が一体回動可能に嵌着されている。  
そして、操作部４２内の鍵孔４７に鍵４８（図７参照）を差し込んで、正面から見た時計回り方向に９０度回動操作することによって、回動軸４３を介してロック片４５が下向きの姿勢を取り（図７）、その状態から鍵４８を反時計回り方向に９０度回動させることで、ロック片４５が元の右向きの姿勢に戻るようになっている。  
また、本体部４１における操作部４２の直ぐ裏側の上下の外周面には、軸線方向と交差する方向に一対の係止溝４６が切り込み形成されている。
【００１９】
取付空間３８において、天板３５の前面板３５Ａには、回転錠４０の本体部４１が緊密に挿通される同じく縦長のほぼ長円形をなす挿通孔５０が開口されている。天板３５の底面板３５Ｂには、図４に示すように、後縁に開口する幅広の切欠孔５１が形成されているとともに、補強部３２における前面板３２Ａから底面板３２Ｂにわたる領域に、ほぼ同じ幅の窓孔５２が、切欠孔５１に繋がるように形成されており、これらの切欠孔５１と窓孔５２とが、回転錠４０の着脱を行う際に手を入れるための開口５３となっている。なお、天板３５の底面板３５Ｂの切欠孔５１については、回転錠４０のロック片４５が下向きに回動した場合に、その先端を底面板３５Ｂの下面側に貫通して突出することを許容する機能も併せ持っている。
【００２０】
回転錠４０を抜け止めするためにＬ型ブラケット５５を備えている。このＬ型ブラケット５５は、例えば厚肉の金属板をプレス加工して形成されており、図４に示すように、天板３５の前面板３５Ａの裏面にほぼ沿って配される縦板５６と、底面板３５Ｂの裏面に沿って配される横板５７とを有し、比較的幅広に形成されている。ただし、縦板５６と横板５７との間の曲げ角度θは、９０度ではなく、例えば８０〜８５度といった９０度よりも小さい角度とされている。Ｌ型ブラケット５５は、図６に示すように、縦板５６と横板５７の角部を、天板３５における前面板３５Ａと底面板３５Ｂの隅部に当てて、底面板３５Ｂ上を左右方向に摺動し得るようになっている。
【００２１】
縦板５６には、係止孔６０が形成されている。この係止孔６０は、図５に示すように、背面から見た右側に、上記した回転錠４０の本体部４１の断面形状に倣った縦長のほぼ長円形をなす異形孔部６１と、その左側縁から延出された横孔部６２とから構成されている。横孔部６２は、回転錠４０のロック片４５を挿通可能となっている。  
特に、この横孔部６２の上下の孔縁６２Ａの間隔は、回転錠４０の本体部４１に形成された上下の係止溝４６の溝底の間隔にほぼ等しく設定されている。
【００２２】
一方横板５７には、図４に示すように、幅方向の中央部において、後縁に開口する切欠孔６４が形成されている。この切欠孔６４は、天板３５の底面板３５Ｂの切欠孔５１とほぼ同幅に形成され、同じく回転錠４０のロック片４５が下向きに回動された場合に、その先端を逃がすことに機能する。  
横板５７における切欠孔６４を挟んだ両側には、ねじ孔６５が切られている。また、天板３５の切欠孔５１を挟んだ両側には、ねじ６６の挿通孔６７がねじ孔６５と対応して形成されている。
【００２３】
Ｌ型ブラケット５５は、上記したように天板３５の前面板３５Ａの裏側で左右方向に摺動し、図５（Ａ）に示すように、縦板５６に形成された係止孔６０の異形孔部６１が天板３５の挿通孔５０と整合したところが着脱位置であり、一方、同図（Ｃ）に示すように、横板５７の両ねじ孔６５が天板３５のねじ６６の挿通孔６７と整合したところが係止位置となる。
【００２４】
さらに、図３に示すように、天板３５の底面板３５Ｂの切欠孔５１から、補強部３２の底面板３２Ｂの窓孔５２の下方を覆うべくカバー７０が備えられている。このカバー７０も、同じく厚肉の金属板をプレス加工する等で形成され、手前側が一段下がった段付き状に形成されている。前部側には、回転錠４０のロック片４５が下向きに回動された場合に、その先端を下面側に貫通させる左右方向に細長い貫通溝７１が形成されている。また前部側の左右両端部には、Ｌ型ブラケット５５のねじ孔６５並びに天板３５の挿通孔６７と整合するねじ６６の挿通孔７２Ａが形成されている。  
後部側の左右両端部にも、別のねじ６６の挿通孔７２Ｂが形成されているとともに、補強部３２の底面板３２Ｂの奥側に、ねじ孔７４が対応して形成されている。
【００２５】
また、断熱扉１５の上面における回転錠４０の取付位置の直下に対応する位置には、回転錠４０のロック片４５に係止されるロック受け部材７６が取り付けられている。このロック受け部材７６は、幅広の基板７７の前縁から被ロック部７８を立ち上がり形成した形状となっている。
【００２６】
続いて、本実施形態の作用を説明する。冷蔵庫の組み立て時に回転錠４０を併せて取り付ける場合は、天板３５が冷蔵庫本体１０に組み付けられる前の単体の際に回転錠４０を取り付けることができ、いわゆる手探り状態の作業は不要であるため、以下には、メンテナンス時や回転錠４０の交換を行う場合等、冷蔵庫が既に組み立てられた状態において、回転錠４０を取り付けあるいは取り外す場合について説明する。
【００２７】
回転錠４０を取り付けるに当たっては、まず、Ｌ型ブラケット５５を開口５３から取付空間３８に入れ、図４及び図５（Ａ）に示すように、係止孔６０の異形孔部６１が、天板３５の前面板３５Ａの挿通孔５０の後方に整合した着脱位置に置く。この状態から、図４の矢線に示すように、回転錠４０を傾けてロック片４５の先端を挿通孔５０から係止孔６０にわたって挿入し、そののち回転錠４０の向きを真直にしつつ、本体部４１を挿通孔５０から係止孔６０の異形孔部６１に挿入し、操作部４２が挿通孔５０の表面側の口縁に当たったところで挿入が停止される（図５（Ｂ））。回転錠４０の本体部４１が回り止めされた状態で、係止孔６０を貫通してその後方に突出する。
【００２８】
続いて、Ｌ型ブラケット５５の縦板５６を天板３５の前面板３５Ａに当てるように少し起こしたのち、Ｌ型ブラケット５５を前面板３５Ａの裏面に沿うようにして図５（Ｂ）の矢線に示すように係止位置に向けて摺動させる。Ｌ型ブラケット５５が係止位置に移動すると、同図（Ｃ）に示すように、回転錠４０の本体部４１が異形孔部６１から出て横孔部６２の入口側に移動し、それに伴い横孔部６２の上下の孔縁６２Ａが、本体部４１の上下の係止溝４６内に進入する。これにより、回転錠４０が抜け止めされる。
【００２９】
最後に、図６に示すように、天板３５の底面板３５Ｂの切欠孔５１から補強部３２の底面板３２Ｂの窓孔５２の下方を覆うようにしてカバー７０が当てられ、前側では、カバー７０と天板３５の底面板３５Ｂの挿通孔７２Ａ，６７に通したねじ６６が、Ｌ型ブラケット５５のねじ孔６５に螺合されて締め付けられる。締め付け動作の初めでは、Ｌ型ブラケット５５の縦板５６に形成された横孔部６２の孔縁６２Ａが、回転錠４０の本体部４１の係止溝４６における奥側の側面に当たり、かつ横板５７が天板３５の底面板３５Ｂから少し浮いた状態にある。締め付けが進むと、縦板５６と横板５７とが弾性的に広がりつつ、横板５７が天板３５の底面板３５Ｂ上に重なって固定される。したがってカバー７０が固定された後では、縦板５６の復元弾力により、回転錠４０の操作部４２が前面板３５Ａの挿通孔５０における表面側の口縁に強固に押し付けられ、がたつきなく取り付けられる。
カバー７０の後側でも、挿通孔７２Ｂに通したねじ６６を補強部３２の底面板３２Ｂのねじ孔７４に螺合して締め付けることで固定される。これにより図６に示すように、回転錠４０の取り付けが完了する。
【００３０】
施錠する場合は、断熱扉１５を閉じたのち、図７に示すように、回転錠４０の操作部４２内の鍵孔４７に鍵４８を差し込んで、正面から見た時計回り方向に９０度回動操作すると、ロック片４５は切欠孔６４，５１並びにカバー７０の貫通溝７１を通って、カバー７０の下方に下向きに突出し、断熱扉１５の上面に設けられたロック受け部材７６の前面に係止し、すなわち閉扉状態にロックされる。なお、ロック片４５が貫通溝７１の手前側の側面の直後を通る設定とすると、施錠状態で断熱扉１５を強く開いた場合も、ロック受け部材７６で押されたロック片４５を、比較的早い段階で貫通溝７１の側面に当てることができ、ロック片４５等に加わるダメージを小さく抑えることができる。
【００３１】
解錠する場合は、図７に示す状態から鍵４８を反時計回り方向に９０度回動させると、ロック片４５が同方向に回動し、元の右向きの姿勢となって取付空間３８内に戻る。これにより、係止が解除される。  
一方回転錠４０を外す場合は、図６に示す解錠状態から断熱扉１５を開いたのち、上記とは逆の動作を行う。すなわち、ねじ６６を緩めてカバー７０を外したのち、開口５３から手を入れて、係止位置にあるＬ型ブラケット５５を図５（Ｂ）に示すように着脱位置に移動し、横孔部６２の孔縁６２Ａによる係止溝４６に対する係止を解除する。そののち、回転錠４０を手前に引き、さらに回転錠４０を傾けつつ、本体部４１からロック片４５を係止孔６０から挿通孔５０を通して手前に引き抜く。
【００３２】
以上のように本実施形態によれば、例えば冷蔵庫が既に組み立てられている状態で回転錠４０を取り付ける場合に、特に回転錠４０を抜け止めするには取付空間３８内での手探りの作業が必要となるが、初めにＬ型ブラケット５５を着脱位置に置いて回転錠４０を挿通したのち、Ｌ型ブラケット５５を取付空間３８の前面板３５Ａの裏面に沿って係止位置まで移動させるといった、比較的簡単な操作により回転錠４０の抜け止めを行うことができる。もって、回転錠４０の取り付けを簡単にかつ正確に行うことができる。
【００３３】
Ｌ型ブラケット５５の横板５７をカバー７０と共締めして天板３５の底面板３５Ｂに固定する構造としたから、横板５７ひいてはＬ型ブラケット５５を係止位置においてより強固に固定することができる。  
また、回転錠４０に掛止する縦板５６と、底面板３５Ｂに重ねて固定される横板５７とを予め閉じた状態で形成しておき、両板５６，５７を弾性的に開きつつ横板５７を固定する構造としたから、縦板５６の復元弾力により、回転錠４０の操作部４２を前面板３５Ａの挿通孔５０における表面側の口縁に強固に押し付けることができ、もって回転錠４０をがたつきなくより強固に取り付けることができる。
【００３４】
＜実施形態２＞
次に、本発明の実施形態２を図８ないし図１０によって説明する。  
この実施形態２の回転錠８０は、横長のほぼ長円形断面をなす本体部８１の手前側に、拡径された操作部８２が形成され、この操作部８２内に、鍵孔８３Ａを有する回動軸８３の一端側が収容され、本体部８１の奥面から突出した回動軸８３の他端側に、横向き（正面から見た右向き）の姿勢を取ったロック片８５の基端が一体回動可能にねじ８４で固着されるようになっている。操作部８２の外周面は、先細りのテーパ面８２Ａとされている。また、本体部８１の外周面には雄ねじ８６が切られて、ナット８７が螺合可能とされている。  
なお、操作部８２内の鍵孔８３Ａに鍵４８（図７参照）を差し込んで、正面から見た時計回り方向に９０度回動操作することによって、回動軸８３を介してロック片８５が下向きの姿勢を取り（図１０の鎖線参照）、その状態から鍵４８を反時計回り方向に９０度回動させることで、ロック片８５が元の右向きの姿勢に戻るようになっていることは、実施形態１の回転錠４０と同様である。
【００３５】
回転錠８０の取付空間３８において、天板３５の前面板３５Ａには、回転錠８０の操作部８２を臨ませる操作孔８９が開口されている。操作孔８９は、操作部８２の先端側の小径部分がほぼ緊密に嵌る程度の大きさに形成されている。  
天板３５の底面板３５Ｂには切欠孔５１が、また補強部３２における前面板３２Ａから底面板３２Ｂにわたる領域には、窓孔５２が切欠孔５１に繋がるように形成され、これらの切欠孔５１と窓孔５２とが、回転錠８０を着脱しかつ収容するための開口５３となっている。なお、補強部３２の底面板３２Ｂの窓孔５２は、回転錠８０のロック片８５が下向きに回動された場合に、その先端を底面板３２Ｂの下面側に貫通して突出することを許容する機能も併せ持っている。
【００３６】
上記の回転錠８０を取り付けるために、Ｌ型固定具９０を備えている。このＬ型固定具９０は、同様に例えば厚肉の金属板をプレス加工して形成されており、図９に示すように、上記した天板３５の底面板３５Ｂの切欠孔５１から、補強部３２の底面板３２Ｂの窓孔５２の下方を覆うべくカバー部９１と、このカバー部９１の前縁の中央部から直角に立ち上げて形成された取付部９２とから構成されている。  
カバー部９１は、手前側が一段下がった段付き状に形成されており、その段付部に、回転錠８０のロック片８５が下向きに回動された場合に、その先端を下面側に貫通させる左右方向に細長い貫通溝９３が形成されている。
【００３７】
カバー部９１に前縁側と後縁側とには、それぞれ左右一対ずつのねじ６６の挿通孔９４が形成されている。また、天板３５の底面板３５Ｂと、補強部３２の底面板３２Ｂとには、左右一対ずつのねじ孔９５Ａ，９５Ｂが、カバー部９１の挿通孔９４と整合して形成されている。  
後記するように、Ｌ型固定具９０のカバー部９１が定位置に固定された場合には、取付部９２は、天板３５の前面板３５Ａから裏側に所定寸法離間して配される設定となっている。  
この取付部９２には、回転錠８０の本体部８１の外形形状に等しい横長のほぼ長円形をなす取付孔９６が形成されている。
【００３８】
断熱扉１５の上面には、同様に回転錠８０のロック片８５に係止されるロック受け部材７６が取り付けられているが、回転錠８０のロック片８５の位置が実施形態１よりも少し奥の位置となる関係上、ロック受け部材７６の取付位置も、対応して奥側に移動されている。  
その他の構造は実施形態１と同様であって、同一機能を有する部位については同一符号を付すことで、重複した説明は省略する。
【００３９】
実施形態２に係る回転錠８０の取り付けの動作を説明する。但し同様に、冷蔵庫が既に組み立てられた状態において、回転錠８０を取り付ける場合を例示する。  
まず、取付空間３８の外部において、回転錠８０の本体部８１を、Ｌ型固定具９０の取付部９２の取付孔９６に前方から挿入し、続いて本体部８１の後端側にナット８７を螺合して締め付けると、取付孔９６の口縁の表裏が操作部８２とナット８７により挟持されて固定される。そののち、回動軸８３の他端側にロック片８５が右向きの姿勢でねじ８４により固定される。
【００４０】
このようにＬ型固定具９０の取付部９２に回転錠８０が固定されたら、回転錠８０側を上に向けた斜め姿勢にして、開口５３を通して回転錠８０を取付空間３８内に入れ、操作部８２の先端を天板３５の前面板３５Ａの操作孔８９に嵌める。そののちＬ型固定具９０のカバー部９１側が水平姿勢となるように起こされて、天板３５の底面板３５Ｂの切欠孔５１から補強部３２の底面板３２Ｂの窓孔５２の下方を覆うように当てられる。そうしたら、前側では、カバー部９１の挿通孔９４に通したねじ６６が天板３５の底面板３５Ｂのねじ孔９５Ａに螺合して締め付けられ、また後側では、カバー部９１の挿通孔９４に通したねじ６６が補強部３２の底面板３２Ｂのねじ孔９５Ｂに螺合して締め付けられる。  
これにより図１０に示すように、回転錠８０の取り付けが完了し、回転錠８０は、その操作部８２の先端部を操作孔８９に嵌めて臨ませた状態に配される。
【００４１】
施錠と解錠の操作は実施形態１と同様であり、回転錠８０のロック片８５が図１０の鎖線に示す下向きの姿勢を取ることで閉扉状態に掛止され、ロック片８５が同図の実線に示す右向きの姿勢を取ることで、係止が解除される。  
回転錠８０を外す場合は、図１０の実線に示す解錠状態から断熱扉１５を開いたのち、上記とは逆の動作を行う。すなわち、カバー部９１を固定していたねじ６６を緩めて、回転錠８０ともどもＬ型固定具９０全体を取付空間３８から外へ出す。その後に改めて、ねじ８４を緩めてロック片８５を外し、続いてナット８７を緩めて外したのち、回転錠８０を取付孔９６の前方に引き抜くといったように、取付部９２から回転錠８０を外す。
【００４２】
以上のように本実施形態によれば、回転錠８０をＬ型固定具９０の取付部９２に予め固定すれば、あとはカバー部９１を底面板３５Ｂ，３２Ｂに取り付けまたは取り外すことに伴い、回転錠８０の所定位置への着脱が自ずから行われる。回転錠８０をＬ型固定具９０の取付部９２に取り付けまたは取り外す作業は、取付空間３８の外の広いスペースで行うことができる。トータルして、回転錠８０の取付空間３８内での所定位置への着脱を簡単にかつ正確に行うことができる。
【００４３】
この実施形態では、回転錠８０の操作部８２における先端の一部のみを操作孔８９に嵌めて臨ませる構造としたから、天板３５の前面板３５Ａからの出っ張り量を小さく抑えることができる。  
また、回転錠８０を回り止めして取り付ける取付部９２は、既存のカバー部９１と一体的に形成したから、格別に部品点数の増加を招くおそれがない。
【００４４】
＜実施形態３＞
図１１は本発明の実施形態３を示す。上記実施形態２のＬ型固定具９０では、固定錠８０を取り付ける取付部９２が、カバー部９１に対して直角をなして曲げ形成されているのに対して、本実施形態３のＬ型固定具９０Ａでは、図９の鎖線の矢線に参照して示すように、取付部９２Ａの上縁が手前側に傾いた姿勢、言い換えると、カバー部９１との間の曲げ角度が、９０度を超えた例えば９１〜９２度程度に開いた状態に予め形成されている。
【００４５】
本実施形態のＬ型固定具９０Ａによれば、カバー部９１が取付空間３８の底面板３５Ｂ，３２Ｂに固定された場合に、図１１に示すように、取付部９２Ａが弾性的に閉じる方向に変形しつつ、回転錠８０Ａの操作部８２におけるテーパ面８２Ａの先端側が操作孔８９内に嵌合される。すなわち、取付部９２Ａの復元弾力により、回転錠８０Ａの操作部８２のテーパ面８２Ａが操作孔８９内に食い込むように嵌合して強固に固定される。その結果、回転錠８０ＡをＬ型固定具９０Ａの取付部９２Ａ自身に固定するためのナット８７、並びに本体部８１の外周面に切られた雄ねじ８６が不要にできる。
【００４６】
＜実施形態４＞
図１２は本発明の実施形態４を示す。この第４実施形態のＬ型固定具９０Ｂでは、取付部９２Ｂに形成される取付孔が、上縁に開口した溝状に形成されており、この取付溝９７内に回転錠８０Ｂの本体部８１が回り止めして上方から落とし込まれ、ナット８７を締め付けて固定されるようになっている。  
この実施形態４でも、取付部９２Ｂを予め開いて形成しておくことで、ナット８７等を不要とすることができる。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、回転錠を設ける位置を出入口の上縁部とした場合を例示したが、出入口の下縁部や側縁部等の他の口縁部に設けることも可能である。  
（２）扉は、上記実施形態に例示した片開きの揺動開閉式に限らず、両開き形式のものでもよく、さらに引き違い形式等の他の開閉形式ものにも適用することができる。  
（３）本発明はテーブル型冷蔵庫に限らず他の型式の冷却貯蔵庫全般に適用可能であり、さらには扉を装着した貯蔵庫全般に広く適用することができる。
【図面の簡単な説明】
【００４８】
【図１】本発明の実施形態１に係る冷蔵庫の外観斜視図
【図２】その内部構造を示す断面図
【図３】施錠機構部分の分解斜視図
【図４】回転錠の着脱動作を示す斜視図
【図５】同じく着脱動作を示し、（Ａ）はＬ型ブラケットが着脱位置にある場合の背面から見た断面図、（Ｂ）は回転錠が挿通された場合の同図、（Ｃ）はＬ型ブラケットが係止位置に移動した状態の同図
【図６】回転錠の取付完了時の断面図
【図７】施錠時の断面図
【図８】実施形態２の施錠機構部分の分解斜視図
【図９】Ｌ型固定具の斜視図
【図１０】回転錠の取付完了時の断面図
【図１１】実施形態３の回転錠の取付完了時の断面図
【図１２】実施形態４の分解斜視図
【図１３】従来例を示し、（Ａ）は断面図、（Ｂ）は分解斜視図
【符号の説明】
【００４９】
１０…冷蔵庫本体  １３…出入口  １５…断熱扉  ３２…補強部  ３２Ｂ…（補強部３２の）底面板  ３５…天板  ３５Ａ…（天板３５の）前面板  ３５Ｂ…（天板３５の）底面板  ３７…庇部  ３８…取付空間  ４０…回転錠  ４１…本体部  ４２…操作部  ４３…回動軸  ４５…ロック片（ロック部）  ４６…係止溝  ４８…鍵  ５０…挿通孔  ５３…開口  ５５…Ｌ型ブラケット  ５６…縦板  ５７…横板  ６０…係止孔  ６２…横孔部  ６２Ａ…（横孔部６２の）孔縁  ６５…ねじ孔  ６６…ねじ  ６７…挿通孔  ７０…カバー  ７６…ロック受け部材（ロック受け部）  ８０，８０Ａ，８０Ｂ…回転錠  ８１…本体部  ８２…操作部  ８２Ａ…テーパ面  ８３…回動軸  ８５…ロック片（ロック部）  ８７…ナット  ８９…操作孔  ９０，９０Ａ，９０Ｂ…Ｌ型固定具  ９１…カバー部  ９２，９２Ａ，９２Ｂ…取付部  ９６…取付孔（挿通部）  ９７…取付溝
【図１】
2005308299.tif 000003
【図２】
2005308299.tif 000004
【図３】
2005308299.tif 000005
【図４】
2005308299.tif 000006
【図５】
2005308299.tif 000007
【図６】
2005308299.tif 000008
【図７】
2005308299.tif 000009
【図８】
2005308299.tif 000010
【図９】
2005308299.tif 000011
【図１０】
2005308299.tif 000012
【図１１】
2005308299.tif 000013
【図１２】
2005308299.tif 000014
【図１３】
2005308299.tif 000015